Podtech/llm-jp-corpus-v4-ja_patent huggingface dataset:
(57)【要約】      （修正有）【課題】パソコンなどの液晶画面を見ると、眩しく網膜に直接光線を受けて、眼精疲労の原因にもなっていた目の疲れを軽減する、プリズム入り液晶画面用フィルムを提供する。【解決手段】液晶画面にプリズム入りフィルム２を使用し、液晶画面に直線光線３を回避する網膜状の真正面から光を逃し、基底方向の位置を変えれば上下右左、直接光源を逃がすことができるので、目の疲れの軽減を図ることができる。また、プリズムの角度や度数に応じて、自在に光源進路をずらすことができる。【選択図】図１
0003234617.tif 000002
【実用新案登録請求の範囲】
【請求項１】
（２）プリズムを使用して、液晶画面用フィルムをつくる。
この技術的な部分が私の権利です。
【考案の詳細な説明】
【技術分野】
【０００１】この発明は、液晶画面の直線光線を回避して目の疲れの軽減を図るプリズム入りフィルムである。
【背景技術】
【０００２】従来、スマートフォン、ゲーム機、パソコン画面のフィルムなどありますが液晶画面の光源を直接光線を受けていた。
【先行技術文献】
【特許文献】
【０００３】
【考案の概要】
【考案が解決しようとする課題】
【０００４】（イ）これは、次のような欠点があった、近年では、電子機器技術の発展によりパソコン、スマートフォン、ゲーム機などが普及して液晶画面を見たりする機会が多くなってきた。
（ロ）近年は、小さな子供から老人までスマートフォンの液晶画面の動画を見たり作業したりする人も多く、視力低下や目のトラブルが昔より増えてきている。
液晶画面内の動きに視線を合わせ、追っていくことで極端なストレスにもなるのである。
（ハ）液晶画面の光源は直線に進んで網膜状に到達するために網膜の刺激が継続されることにより、目の疲れの原因になる。
こう言った弊害がある。
本発明は、以上のような欠点をなくすためになされたものでる。
【課題を解決するための手段】
【０００５】部品の形状としては、スマートフォン、ゲーム機、パソコン、テレビなどの液晶画面に、プリズム入りフィルムを使用する。
（プリズムとは何か）プリズムは、二等辺三角形の一辺の長さが一番短い一辺（これをプリズムにおける一辺を基底と言う）
一点の光が必ずプリズムは基底方向に屈折する性質がある。
このプリズムの屈折性質を利用する。
例えば、スマートフォンの液晶画面見て作業したり、動画見たりすると目が非常に疲れる現象になる。この経験は誰にでもあると思われます。
これは、光源が直線上に網膜がありますと、とても目が疲れるのです。
視力低下や眼精疲労の原因にもなり非常に危険である。
その直線光源を回避することが重要である。
回避することにより、目の疲れの軽減を図ることが出来ます。
そこで液晶画面にプリズム入りフィルムを使用することで、直線光源を回避することが出来ます。
光源はプリズムの基底方向への屈折する性質を利用し、光源は斜線上に進むのです。
直接の網膜を回避するのである。
それによって目の疲れの軽減を図ることができるのである。
これが解決手段である。
【考案の効果】
【０００６】（イ）プリズム入りフィルムを使用する事により、直接の光源を避けるようにできる。
【図面の簡単な説明】
【０００７】
【図１】本発明の正面図である。（１）スマートフォンである。（２）プリズム入り液晶画面用フィルムを使用する。（３）通常、光源は直線に進む。（４）人物の横顔、直線光源は網膜に達する。（５）（６）のプリズム度数は違う。（７）光源はプリズムの基底方向へ進む  光源は下方向へと進む。網膜に直線光線を回避することができる。
【図２】本発明の平面図である。（１）スマートフォンである。（２）プリズム入り液晶画面用フィルムを使用する。（７）光源は、プリズムにより基底方向へ進む。本来、プリズムの向きで上下左右方向に光源を自在に進ませる事できる。画面やデータなど見られたくないので、人の居ない方向に光源を進むようにすれば良いのである。
【考案を実施するための形態】
【０００８】以下、本発明を実施するための形態について説明する。
液晶画面に（２）プリズム入りフィルムを使用する。
使用用途は大、中、小、液晶画面に対応できるフィルムである。
【符号の説明】
【０００９】１    スマートフォン
２    プリズム入り液晶画面用フィルム
３    光源直線光線
４    人物横顔
５    プリズムフィルム度数
６    プリズムフィルム度数
７    光源は、プリズム基底方向に屈折する。
１    スマートフォン
７    光源は、プリズム基底方向に屈折する。
２    プリズム入り液晶画面用フィルム
【図１】
0003234617.tif 000003
【図２】
0003234617.tif 000004
【手続補正書】
【提出日】令和3年7月26日(2021.7.26)
【手続補正１】
【補正対象書類名】実用新案登録請求の範囲
【補正対象項目名】全文
【補正方法】変更
【補正の内容】
【実用新案登録請求の範囲】
【請求項１】
プリズムフィルム度数＋０．１０〜＋２．００の範囲の屈折状態にあることを特徴とするプリズム入り液晶画面用フィルム
【請求項２】
請求項１、とブルーライトカットフィルムを一体化して形成することを特徴とするプリズム入り液晶画面用フィルム
(57)【要約】      （修正有）【課題】作業中にスマートフォンやタブレットＰＣなどの電子機器に充電を行うデスクマットを提供する。【解決手段】デスクマット４は、フイルム状のソーラーパネル１とワイヤレス充電コイル２が組みこまれ、ソーラーパネル１からの給電不足に備えてＵＳＢ受け口３を設置する。デスクマット４上でスマートフォンやタブレットＰＣなどの電子機器に充電を行うことができ、作業効率が上がる。ソーラーパネル１により給電を受けられ、どこでも充電が可能となり、災害時にも有効である。【選択図】図１
0003234619.tif 000002
【実用新案登録請求の範囲】
【請求項１】
ソーラーパネルとワイヤレス充電コイルをデスクマットに取り入れて、デスク作業中にスマートフォンやタブレットＰＣなどの電子機器に充電を行うデスクマット
【考案の詳細な説明】
【技術分野】
【０００１】  本考案は、デスクマットにソーラーパネル及びワイヤレス充電コイルを取り付けた、デスクマットに関するものである。
【背景技術】
【０００２】従来、スマートフォンやタブレットＰＣなどに充電をする場合、ＵＳＢケーブルやＵＳＢケーブルに接続されたワイヤレス充電器を使っている。
【考案の概要】
【考案が解決しようとする課題】
【０００３】デスクにマットを引いてデスク作業を行うとき、スマートフォンやタブレットＰＣなどの電子機器を常に目にしながら、機器にケーブルを接続せずいつでも応対できる自由自在な状態で充電したい要求を満たす。
【課題を解決するための手段】
【０００４】デスクマットにソーラーパネル及びワイヤレス充電コイルを組み込む。
ソーラーパネルからの給電不足に備えてＵＳＢ受け口を設置する。
【考案の効果】
【０００５】上述のように、従来はスマートフォンやタブレットＰＣなどの電子機器の充電に、ＵＳＢケーブルやＵＳＢケーブルに接続されたワイヤレス充電器を使っているが、本考案によりデスクマット上でワイヤレス充電ができるとともに、デスクマットに組み込まれたソーラーパネルにより給電が可能となりどこでも充電が可能となり、災害時にも有効である。
【図面の簡単な説明】
【０００６】
【図１】本考案の実施例を示す上部からの図面である。
【考案を実施するための形態】
【０００７】フイルム状のソーラーパネルとワイヤレス受電コイルを組み込んだデスクマットである。
【実施例】
【０００８】  添付図面に従って一実施例を説明する。
１はソーラーパネル、２はワイヤレス受電コイル、３はＵＳＢ受け口、４はデスクマットであり、ワイヤレス受電コイル部分にスマートフォンやタブレットＰＣなどの電子機器を置くと充電が可能となる。
【産業上の利用可能性】
【０００９】スマートフォンやタブレットＰＣなどの電子機器の充電がデスクマット上で出来るために作業効率が大幅に向上することが期待できるとともに、ソーラーパネルからの給電を受けて充電するために環境にやさしく、教育関係で普及しているタブレットＰＣなどの充電がデスクマット上で出来ることは画期的である。
【符号の説明】
【００１０】１、  ソーラーパネル
２、  ワイヤレス受電コイル
３、  ＵＳＢ受け口
４、  デスクマット
【図１】
0003234619.tif 000003
【手続補正書】
【提出日】令和3年7月27日(2021.7.27)
【手続補正１】
【補正対象書類名】実用新案登録請求の範囲
【補正対象項目名】全文
【補正方法】変更
【補正の内容】
【実用新案登録請求の範囲】
【請求項１】
フィルム状のソーラーパネルと、前記ソーラーパネルにより給電可能に接続されたワイヤレス充電コイルと、が組み込まれたデスクマットであって、前記ワイヤレス充電コイルの上にスマートフォンやタブレットＰＣなどの電子機器を載置可能なデスクマット。
(57)【要約】      （修正有）【課題】一日分の薬量を入れ、飲み忘れ、飲み過ぎを防ぐ、薬入れを提供する。【解決手段】だ円形のものに２段の収納部を設け上段のくぼみと下段に薬を収納し、上段、下段の開口部を開口できる様に接続した。【選択図】図３
0003234620.tif 000002
【実用新案登録請求の範囲】
【請求項１】
だ円形のものに２段の収納部を設け上段のくぼみと下段に薬を収納し、上段、下段の開口部を開口できる様に接続したことを特徴とする薬いれ。
【考案の詳細な説明】
【技術分野】
【０００１】  本考案は、薬入れに関するものである。
【背景技術】
【０００２】  １日分の薬入れは殆ど無かった。
【考案の開示】
【考案が解決しようとする課題】
【０００３】  小さな一つの薬入れで前途の欠点を解決しようとするものである。
【課題を解決するための手段】
【０００４】  本考案は、朝、昼、夕、晩の分量を収納することで問題点を解決している。
【考案の効果】
【０００５】  薬の飲み過ぎ、忘れを無くすことに役立つ。
【考案を実施するための最良の形態】
【０００６】  １個の薬入れに毎回分を収納することで飲み忘れをなくす。
【実施例】
【０００７】  以下、添付図面に従って実施例を説明する。１及び２に１日分の薬量を入れ３の開口部を固定したもの。【０００８】  本考案の実施例は、上途の如き構成からなり、１日の薬量を収納する。
【図面の簡単な説明】
【０００９】
【図１】正面図
【図２】側面図
【図３】立体図
【符号の説明】
【００１０】１  薬の収納部
２  薬の収納部
３  開口接続部
【図１】
0003234620.tif 000003
【図２】
0003234620.tif 000004
【図３】
0003234620.tif 000005
(57)【要約】      （修正有）【課題】補聴器・イヤホン保管用の容器であって、シリカゲルを設置することにより、衛生の向上、健康の向上を図る。【解決手段】シリカゲル乾燥剤と消臭シリカゲル、及び抗菌シリカゲルの三成分混合品を通気性の良い不織布あるいは薄いポリマー袋中に分包し、密閉した容器であって、消臭シリカゲルにはハイパーシリカゲルを使用し、抗菌シリカゲルにはチオ硫酸銀錯塩でコートした微細シリカゲルを使用する。【選択図】図１
0003234648.tif 000002
【実用新案登録請求の範囲】
【請求項１】
シリカゲル乾燥剤と消臭シリカゲル、及び抗菌シリカゲルの三成分混合品を通気性の良い不織布あるいは薄いポリマー袋中に分包し、密閉した容器。
【請求項２】
前記消臭シリカゲルには富士シリシア化学（株）製のハイパーシリカゲルを使用することを特徴とした容器。
【請求項３】
前記抗菌シリカゲルにはチオ硫酸銀錯塩でコートした微細シリカゲルを使用することを特徴とした容器。
【考案の詳細な説明】
【技術分野】
【０００１】  本発明は補聴器・イヤホンを保管する容器内に用いる乾燥・消臭・抗菌シリカゲルに関するものである。容器内には乾燥機能を持つＡ形シリカゲル、消臭機能を持つハイパーシリカゲル、及び抗菌機能を持つシリカゲル（チオ硫酸銀錯塩）の三成分系特殊シリカゲルを設置するものである。すなわち、補聴器を使用した後には水分・湿気を含み、耳垢、加齢臭があり、またバイ菌も存在する。このように汚れた補聴器でも上記三機能を有する三成分特殊シリカゲル混合物を入れた容器に保存することにより、問題が解決されるものである。また、本シリカゲルは健康被害の恐れのある青色シリカゲル（塩化コバルト処理シリカゲル）は使用していない。
【考案の概要】
【考案が解決しようとする課題】
【０００２】  従来の補聴器ケースの発明においては、小型モーターファンによる空気の撹拌、または通常のシリカゲルを設置して乾燥させるのみであった。この方法では単に乾燥させるだけで衛生的、健康的に不十分である。
【課題を解決するための手段】
【０００３】  補聴器は高齢化の進む日本では広く、多く使用されている。しかしそのメンテナンスは十分とは言い難い。本考案においては単に乾燥するのみでなく、新規に開発した消臭機能を持つハイパーシリカゲルおよび抗菌機能を持つシリカゲルを用いて三成分からなる特殊シリカゲルを使用することによって課題を解決した。【０００４】  表１に乾燥用Ａ形フジシリカゲルの代表的物性値を、表２に乾燥用Ａ形フジシリカゲルの吸着等温線を示す。【０００５】
【表１】
0003234648.tif 000003
【０００６】
【表２】
0003234648.tif 000004
【０００７】  表３にハイパーシリカゲルの脱臭性能を示す。【０００８】
【表３】
0003234648.tif 000005
【０００９】  下記に微細シリカゲルにチオ硫酸銀錯塩でコートした抗菌性シリカゲル（一例では、シルウェル）の抗菌評価方法とそれによる抗菌性性能を説明する。【００１０】  ＜抗菌性試験＞大腸菌（Ｅｓｃｈｅｒｉｃｈｉａ  ｃｏｌｉ  ＮＢＲＣ３９７２（ＡＴＣＣ８７３９））と黄色ブドウ球菌（Ｓｔａｐｈｙｌｏｃｏｃｃｕｓ  ａｕｒｅｕｓ  ＮＢＲＣ１２７３２（ＡＴＣＣ６５３８Ｐ））を普通寒天培地で３７℃，９０％Ｒ．Ｈ．以上の雰囲気下で、２４時間培養後、滅菌リン酸緩衝生理食塩水に菌体を浮遊させ、約１０６Ｃ．Ｆ．Ｕ．（コロニーフォーミングユニット）／ｍｌになるように希釈・調製した。１／５０濃度の普通ブイヨン培地１００ｍｌに抗菌性シリカゲルを１０ｇ加え、上記菌液を０．１ｍｌ滴下した後、３７℃，９０％Ｒ．Ｈ．以上の雰囲気下で保存した。そして、０時間、６時間、２４時間後に、それぞれ１ｍｌの菌液を採取して別のシャーレに滴下し、普通寒天培地を用いた混釈平板培養法（３７℃，１日間）により測定し、１ｍｌ当りのＣ．Ｆ．Ｕ．値に換算した。試行回数は２回である。試験結果は、表４の通りとなった。尚、対照区は、チオ硫酸銀錯塩でコートする前のシリカゲル単独である。【００１１】
【表４】
0003234648.tif 000006
【００１２】  表４から明らかなように、大腸と黄色ブドウ球菌の繁殖を、シリカゲル単独の場合に比べて、１／１０００程度に抑制することができた。即ち、本実施例の抗菌性シリカゲルが、優れた抗菌性能を有していることが分かる。
【考案の効果】
【００１３】  前述のような特殊な性能を持つ三種類のシリカゲルを補聴器・イヤホン収納器に設置することにより、補聴器の水分の除去、耳垢臭、加齢臭の除去が行われ、かつ抗菌作用によって雑菌・ウィルスが生き残ることもなく、極めて清潔に衛生的に補聴器を使用できることが明らかになった。
【図面の簡単な説明】
【００１４】
【図１】本発明を実施するために必要なプラスチック製の防湿容器を示した図である。
【符号の説明】
【００１５】１    電池置きスペース
２    スポンジシート
３    補聴器
４    特殊シリカゲル（通気性不織布、またはフィルム）
【図１】
0003234648.tif 000007
【手続補正書】
【提出日】令和3年7月20日(2021.7.20)
【手続補正１】
【補正対象書類名】実用新案登録請求の範囲
【補正対象項目名】請求項２
【補正方法】変更
【補正の内容】
【請求項２】
前記消臭シリカゲルにはハイパーシリカゲルを使用することを特徴とした、請求項１に記載の容器。
【手続補正２】
【補正対象書類名】実用新案登録請求の範囲
【補正対象項目名】請求項３
【補正方法】変更
【補正の内容】
【請求項３】
前記抗菌シリカゲルにはチオ硫酸銀錯塩でコートした微細シリカゲルを使用することを特徴とした、請求項１または請求項２に記載の容器。
(57)【要約】      （修正有）【課題】吐出口の大きさや数、配置の変更が可能な可変式パイプ型散水器を提供する。【解決手段】パイプを二重構造とし、内パイプ１にスリット３、外パイプ４に大きさや数の異なる複数の吐出口５、６を設け、外パイプを回転させることにより、内パイプスリットに対応した外パイプ吐出口から散水を行う。【選択図】図１
0003234689.tif 000002
【実用新案登録請求の範囲】
【請求項１】
パイプを二重構造とし、内パイプにスリット、外パイプに大きさや数、配置の異なる複数の吐出口を設け、外パイプを回転させることにより、内パイプスリットに対応した外パイプ吐出口から散水を行うパイプ型散水器。
【考案の詳細な説明】
【技術分野】
【０００１】
本考案は、吐出口の大きさや数、配置の変更が可能なパイプ型散水器に関するものである。
【背景技術】
【０００２】
パイプの側面に吐出口を設けた従来のパイプ型散水器は、吐出口の大きさや数、配置を可変とする機能がなかった。
【考案の概要】
【考案が解決しようとする課題】
【０００３】
解決しようとする課題は、パイプ型散水器吐出口の大きさや数、配置を可変とすることである。
【課題を解決するための手段】
【０００４】
上記課題を解決するために、本考案はパイプを二重構造とし、内パイプにスリット、外パイプに大きさや数、配置の異なる複数の吐出口を設け、外パイプを回転させることにより、内パイプスリットに対応した外パイプ吐出口から散水を行う。
【考案の効果】
【０００５】
本考案は、吐出量や吐出数、吐出配置の異なる多様な散水を可能とする効果がある。
【図面の簡単な説明】
【０００６】
【図１】本考案実施例の全体構造を示した正面図である。
【図２】内パイプ１の構造を示した縦断面図である。
【図３】内パイプ１に設けたスリット３の形状を示した正面図である。
【図４】図１中央の二点鎖線による断面図である。
【図５】図４の状態から外パイプ４を図面上時計と反対回りに回転させた状態の断面図である。
【図６】図４の状態から外パイプ４を図面上時計回りに回転させた状態の断面図である。
【考案を実施するための形態】
【０００７】
図１は、本考案実施例の正面図である。内パイプ１は保持リング８により回転可能な状態で保持され、さらに固定具９により任意の場所に取り付けられる。内パイプ１の一端は給水ホースに接続し、もう一端は閉鎖されている。内パイプ１に破線で表されるスリット３が設けられており、内パイプ１内に注入された水はスリット３から外に向かって放出される。
内パイプ１の外側には回転可能かつ水密を保てる状態で外パイプ４が嵌装され、外パイプ４には大きさの異なる吐出口５，６，７が設けられている。
外パイプ４の回転に従って大きさや数の異なる吐出口５，６，７が内パイプ１のスリット３と重なることにより、多様な散水が可能となる。
【０００８】
図２は、内パイプ１の構造を示した縦断面図である。
【０００９】
図３は、内パイプ１に設けたスリット３の形状を示した正面図である。なお、スリット３の長さ、幅、数は例示であり、外パイプ４に設けられた吐出口との組み合わせで目的に合った多様な散水が可能任となるよう、任意に設定されるものとする。
【００１０】
図４は図１中央の二点鎖線による断面図で、外パイプ４に設けられた吐出口大６から太い水流が吐出される。
【００１１】
図５は図４の状態から外パイプ４を図面上時計と反対回りに回転させた状態の断面図であり、吐出口小５から細い水流が吐出される。
【００１２】
図６は図４の状態から外パイプ４を図面上時計回りに回転させた状態の断面図であり、吐出口中７から中程度の太さの水流が吐出される。
【００１３】
なお、図１に表れる各吐出口の大きさ、数、配置は例示であり、目的によって任意に設定されるものとする。
【産業上の利用可能性】
【００１４】
吐出量や吐出口数、吐出口配置の異なる多様な散水を必要とする場面において有用であるが、とりわけ、バスタブに設置してシャワーホースと連結し、「肩湯」「打たせ湯」として利用する場合に有効である。
【符号の説明】
【００１５】
1， 内パイプ    
2， 給水ホース    
3， 内パイプスリット    
4， 外パイプ    
5， 吐出口小
6， 吐出口大    
7， 吐出口中  
8， 内パイプ保持リング
9， 固定具
【図１】
0003234689.tif 000003
【図２】
0003234689.tif 000004
【図３】
0003234689.tif 000005
【図４】
0003234689.tif 000006
【図５】
0003234689.tif 000007
【図６】
0003234689.tif 000008
(57)【要約】      （修正有）【課題】吸引器に接続されるノズルに吸引孔を多数有することで、吸引作業時の吸引孔の閉塞を防ぎ、作業を円滑に行うことを可能とする、魚の脳及び神経を吸引するためのノズルを提供する。【解決手段】魚の脳及び神経弓門内の神経を吸引するための吸引器に接続されるノズル５であって、前記ノズルの先端２４は尖頭形であり、吸引孔１８を６個以上有していることを特徴とするノズルなので、魚の脳及び神経弓門内の神経を吸引する際に一部の吸引孔が魚の身肉が入り閉塞しても、ほかの吸引孔が吸引を継続できる。よって、作業を中断してノズルの詰まりを除去する必要が無くなり作業を円滑に行うことができる。【選択図】図１
0003234659.tif 000002
【実用新案登録請求の範囲】
【請求項１】
魚の脳及び神経弓門内の神経を吸引するための吸引器に接続されるノズルであって、前記ノズルの先端は尖頭形であり、吸引孔を６個以上有していることを特徴とするノズル。
【請求項２】
前記吸引孔は、前記ノズルの前記先端部と中央部に分離された状態で配置され、前記分離される距離が１０ｍｍ以上であることを特徴とする請求項１のノズル。
【考案の詳細な説明】
【技術分野】
【０００１】
本考案は、魚の脳及び神経弓門内の神経を真空吸引するノズルに関するものである。
【背景技術】
【０００２】
魚の脳と神経弓門の中の神経を破壊することで、神経を介して魚の身肉に伝わる脳からの信号を断ち、魚の旨味成分イノシン酸の元となるＡＴＰ（アデノシン３リン酸）の減少を遅延させ、その効果で魚の旨味を長持ちさせることは周知の通りである。（脳が無くても神経が残ればＡＴＰの減少は止まらない）その方法は、刃物等を魚の脳に突き刺して破壊し、神経弓門の中に針金を差し込むことで神経を破壊するのが一般的である。針金を使わない技術として高圧ガスや水で神経を押し出す方法がある。
【先行技術文献】
【特許文献】
【０００３】
【特許文献１】特開２０２１−０３６８４３号
【考案の概要】
【考案が解決しようとする課題】
【０００４】
解決しようとする問題点は、ノズル先端を魚の頭部に刺しこむ際にノズルの先端の吸引孔が魚の身肉などで閉塞してしまい、吸引作業が中断することである。
【課題を解決するための手段】
【０００５】
本考案は、魚の脳及び神経弓門内の神経を吸引するための吸引器に接続されるノズルであって、前記ノズルの先端は尖頭形であり、吸引孔を６個以上有していることを特徴とするノズルである。
【０００６】
本考案は、前記吸引孔は、前記ノズルの前記先端部と中央部に分離された状態で配置され、前記分離される距離が１０ｍｍ以上であることを特徴とする請求項１のノズルである。
【考案の効果】
【０００７】
本考案のノズルは、吸引孔を６個以上有していることを特徴とするので、一部の吸引孔が魚の身肉で閉塞しても他の吸引孔が吸引を継続するという利点があるので、吸引作業が中断しない。
【０００８】
本考案のノズルは、前記吸引孔が前記ノズルの前記先端部と中央部に分離された状態で配置され、前記分離される距離が１０ｍｍ以上であることを特徴とするので、ノズルの先端部のみを魚の頭蓋に差し込み中央部を魚の頭蓋の外にすることができる。つまり、中央部の吸引孔を作業者の指で覆ったり、離したりすることで吸引の強弱を変更可能としている。その結果吸引孔を閉塞させている身肉を外すことが容易になる。
【図面の簡単な説明】
【０００９】
【図１】図１はノズルの第一の実施例を示した説明図である。（実施例１）ａ）正面図  ｂ）側面図  ｃ）上面図
【図２】図２は魚の処理全体を示した説明図である。
【図３】図３はノズルの第二の実施例を示した説明図である。（実施例２）ａ）正面図  ｂ）側面図  ｃ）上面図
【考案を実施するための形態】
【００１０】
下記の実施例のノズルは、ホースを介し吸引器に接続されている状態で魚の頭部に刺しこまれるものである。（特開２０２１−０３６８４３号に同じであり図２に示す）
【実施例】
【００１１】
図１は、ノズルの実施例１である。ノズル５の先端２４は尖頭形であり、吸引孔１８を９個有している。側面２４の位置に吸引孔１８があり、１個から５個程度の吸引孔が魚の身肉で閉塞しても、他の吸引孔が吸引を継続できる。
【００１２】
図３は、ノズルの実施例２である。吸引孔が先端部２４と中央部２１に分離された状態で配置されており、吸引孔２０は開孔面積が大きめである。この吸引孔２０は作業者の指で覆ったり、離したりすることで吸引の強弱を可能とする。その面積は２０〜６０平方ｍｍ程度が適している。
【符号の説明】
【００１３】
１    吸引器
２    吸引器とホースの接続部
３    ホース
４    ノズルの末端（ホースとの接続部）
５    ノズル
７    頭蓋
８    脊椎
９    神経弓門
１０  魚の尾
１１  尾付近の切断箇所
１２  背びれ
１３  尻ひれ
１６  吸引器の電源コード
１７  神経
１８  吸引孔
１９  脳
２０  ノズルの中央部の吸引孔
２１  ノズルの中央部（最も太い部分）
２２  魚の頭部
２３  魚の胴体  
２４  ノズルの先端および側面
２５  ノズルの最先端
【図１】
0003234659.tif 000003
【図２】
0003234659.tif 000004
【図３】
0003234659.tif 000005
(57)【要約】      （修正有）【課題】装着したままで口部分だけを開けて飲食することができ、また衛生的かつ容易に取扱うことができるマスクを提供する。【解決手段】マスク１は、マスク本体２とカバー部材３から構成される。中央部に切り込み部が設けられ、左右の側端部に耳掛け部４が設けられたマスク本体２に、マスク本体２の表側に装着され、切り込み部を覆う短形状のカバー部材３の上部を折込み、切り込み部を開口できる。マスク本体２及び表側のカバー部材３が、不織布で構成されている。鼻部分の形状保持のため、マスク本体２の上部に沿ってノーズワイヤー６が設置されている。それに対して表側のカバー部材３は下部に沿ってノーズワイヤー６が設置されている。【選択図】図１
0003234652.tif 000002
【実用新案登録請求の範囲】
【請求項１】
中央部に切り込み部が設けられ、左右の側端部に耳掛け部が設けられたマスク本体に、当該マスク本体の表側に装着された切り込み部を覆う短形状のカバー部材があり、その上部を折込み、前記切り込み部を開口できるような構造を特徴とするマスク。
【請求項２】
マスク本体及び表側のカバー部材が、不織布で構成されている。
【請求項３】
鼻部分の形状保持のため、マスク本体の上部に沿ってノーズワイヤーが設置されている。それに対し、表側のカバー部材は下部に沿ってノーズワイヤーが設置されている。
【考案の詳細な説明】
【技術分野】
【０００１】本考案は、顔に装着したままで口の部分の開閉が可能なマスクに関する。
【背景技術】
【０００２】マスクは飛沫防止対策、ウイルス対策、花粉症対策に広く用いられている衛生用品である。【０００３】特に新型コロナウイルスの大流行により、日本だけでなく世界中で感染防の対策が講じられ、テレワークの推進、外出自粛、飲食店の営業時間短縮の協力要請等も実施されている。【０００４】飲食時の飛沫感染リスクの面から、マスク会食も推奨されている。既存のマスクでは飲食時に度々耳掛け紐を外さなければならず煩わしい。その点からもマスクを着用しない人が多く、会話を控えざるを得ない状況である。【０００５】特許文献１は布製のマスクであり、飲食時の汚れが付着した際に汚れを落とす手間がかかる。したがって、より容易取扱うことができるマスクが求められる。
【先行技術文献】
【特許文献】
【０００６】
【特許文献１】実用新案登録第３２３１０６２号
【考案の概要】
【考案が解決しようとする課題】
【０００７】本考案の解決課題は、装着したままで口部分だけを開けて飲食することができ、また衛生的かつ容易に取扱うことができるマスクを提供することを目的とする。【０００８】本考案は通常使用時、飲食時のみならず、運動時に装着したままで呼吸を容易にすることができ、利便性を高めることができる。
【課題を解決するための手段】
【０００９】上記課題を解決するため、本考案は、中央部に切り込み部が設けられ、左右の側端部に耳掛け部が設けられたマスク本体に、当該マスク本体の表側に装着された切り込み部を覆う短形状のカバー部材があり、その上部を折込み、前記切り込み部を開口できるような構造を特徴とするマスクを提供する。【００１０】本考案のマスクは、マスク本体及び表側のカバー部材が、不織布で構成されている。【００１１】本考案のマスクは、鼻部分の形状保持のため、マスク本体の上部に沿ってノーズワイヤーが設置されている。それに対し、表側のカバー部材は下部に沿ってノーズワイヤーが設置されている。
【考案の効果】
【００１２】本考案のマスクは、通常使用時には既存マスクとの見た目の違和感が少なく、飛沫防止、花粉症対策等ができる。表側のカバーを織り込みノーズワイヤーで固定することにより、飲食時にはマスクを装着したまま、マスク本体の切り込み部から飲食が可能であり、また運動時には必要に応じて深い呼吸の確保が可能となる。
【図面の簡単な説明】
【００１３】
【図１】本考案のマスクを示す平面図である。
【図２】図１のマスクの表カバーを折り畳んだ状態を示す平面図である。
【考案を実施するための最良の形態】
【００１４】本考案のマスクの実施形態を図面を元に説明する。図１は本考案のマスクの通常使用時の状態を示している。【００１５】符号２マスク本体、符号３表カバーから構成され、材料は通気性を有する不織布からなる。不織布のほか、和紙等の通気性を有する素材であってもよい。【００１６】マスク本体左右縁部には、符号４紐状の耳掛け部が取り付けられており、マスク本体中央部には開口部となる切り込みが設けられている。またマスク本体上部には、マスクの形状を一定に保持するための形状保持部材、符号６ノーズワイヤーを有している。【００１５】符号３表カバーは、マスク本体の符号６ノーズワイヤーの下部に配置され、縫製等により接合されている。表カバーの下部にもノーズワイヤーを有している。【００１６】符号３表カバーにマスク本体の切り込み部に沿って谷折りとなる折り目がついており、ノーズワイヤーの上部には山折りとなる折り目がついている。これは、表カバーを持ち上げ折りたたんで着用する際に容易にするためである。【００１４】図２は本考案のマスクの表カバーを折り畳んだ状態を示している。【００１５】開口するため、符号５切り込み部左右縁部の縦方向に９ｍｍほど切り、折り返し縫製等により接合されている。【００１６】着用時には、マスク本体のノーズワイヤーと表カバーのノーズワイヤーは重なり、マスクの形状と鼻の周辺の形状が一致するため、マスクと顔との密着性を高めることができる。【００１７】図１の形状により、通常使用時には切り込み部は露出せず着用することができる。【００１８】図２の状態からマスク本体の下部を引き開口部を広げることにより、飲食時にはマスクを着用したまま開口部から飲食することができる。飲食せずに会話をする際には、容易に図１の状態に戻すことができる。
【産業上の利用可能性】
【００１９】本考案は年代を問わず通常使用時、マスク会食、運動時に使用できる利便性の高いマスクとして広く利用できる。
【符号の説明】
【００２０】  １  マスク
２  マスク本体
３  表側カバー
４  耳掛け部
５  切り込み（開口）部
６  ノーズワイヤー
７  上部
８  下部
【図１】
0003234652.tif 000003
【図２】
0003234652.tif 000004
【手続補正書】
【提出日】令和3年7月21日(2021.7.21)
【手続補正１】
【補正対象書類名】実用新案登録請求の範囲
【補正対象項目名】全文
【補正方法】変更
【補正の内容】
【実用新案登録請求の範囲】
【請求項１】
中央部に切り込み部が設けられ、左右の側端部に耳掛け部が設けられたマスク本体に、当該マスク本体の表側に装着された切り込み部を覆う短形状のカバー部材があり、その上部を折込み、前記切り込み部を開口できるような構造を特徴とするマスク。
【請求項２】
マスク本体及び表側のカバー部材が、不織布で構成されていることを特徴とする請求項１に記載のマスク。
【請求項３】
鼻部分の形状保持のため、マスク本体の上部に沿ってノーズワイヤーが設置されていると共に、表側のカバー部材は下部に沿ってノーズワイヤーが設置されていることを特徴とする請求項１又は２に記載のマスク。
(57)【要約】      （修正有）【課題】軽量で折りたたみができ、何処へでも持ち歩く事ができて、ウイルスの飛沫感染を防止することができる飛沫防止カバーを提供する。【解決手段】シートに加工のしやすく軽量で柔軟性があり透明または不透明なプラスチックシート１を用いて、先端部２を折り曲げ両面テープで接合する。折りたたむための折り目３を４箇所つけて５面ができ、左か右の先端部から真ん中４に折りたたむと真ん中４の１面幅となる。電源コードを通す枠５を開ける。各面の幅に合わせる、高さ２ｃｍ幅の厚さ０．５ｍｍのポリプロピレン６をプラスチックシートの下部の内側と外側に両面テープで接合するとバランスが良い飛沫防止カバーとなる。【選択図】図１
0003234651.tif 000002
【実用新案登録請求の範囲】
【請求項１】
所定の面積と形状をもち、軽量で柔軟性があり透明または不透明のプラスチックのシートを用いて、前方となる先端部を折り曲げ接合して補強する。４箇所に折り目をつけると５つの面ができて折りたたむと１面となるところを特徴とする飛沫防止カバー
【請求項２】
前記、６箇所に折り目を付けると７つの面ができて、折りたたむと１面となるところを特徴とする請求項１に記載の飛沫防止カバー
【考案の詳細な説明】
【技術分野】
【０００１】  本考案は、飛沫を防止するための机の上に置く飛沫防止カバーである。
【背景技術】
【０００２】  軽量とされているパーテションは、仕事場や会食をする所などに設置されており、設置された場所で使用可能であった。
【先行技術文献】
【特許文献】
【０００３】
【特許文献１】実用新案登録第３２２８４２９号
【考案の概要】
【考案が解決しようとする課題】
【０００４】  軽量で折り曲げが出来て、色々な型に変えることができ、安定しているが、設置されている場所でしか使用する事ができない、従ってさらに軽量して折りたたみができて何処へでも持ち歩き可能になり、前述の欠点を解決しようとするものである。
【課題を解決するための手段】
【０００５】  軽くて柔軟性を有するシートの材質は、例えばプラスチックの加工がしやすい厚さ０．５ｍｍのポリプロピレンを用いる。シートを立たせるために、前方となる先端部の内側に折り曲げるのに必要な折り目に浅い切り込みを外側に入れて、内側に折り曲げて両面テープで接合して補強する。周囲の視界を遮断することのない透明または半透明を用いる。折りたたむ折り目の外側に浅い切り込みを入れて、先端部から真ん中に折りたたむと５面から１面の幅となり持ち歩く事が可能となり問題点を解決している。
【考案の効果】
【０００６】  軽いシートを用いて折りたたむ事ができてコンパクトになり持ち歩く事ができ、会食の時などに机の上に置き飛沫感染を防止することができる。
【図面の簡単な説明】
【０００７】
【図１】ポリプロピレンの５面の形状を示す平面図である。
【図２】本考案の飛沫防止カバーを５面の実施例を示す斜視図である。
【図３】本考案の飛沫防止カバーの５面を折りたたんだ実施例を示す斜視図である。
【図４】ポリプロピレンの５面の形状を示す平面図である。
【図５】本考案の飛沫防止カバーを７面の実施例を示す斜視図である。
【図６】本考案の飛沫防止カバーの７面を折りたたんだ実施例を示す斜視図である。
【考案を実施するための形態】
【０００８】  軽くて柔軟性があるポリプロピレンの先端の折り目となる箇所の外側に浅い切り込みを入れて折り目を作り折り曲げて接合する。先端部を折り曲げて補強する。下部の１面ずつに合わせた幅と高さ２ｃｍ幅のポリプロピレンを用いて接合する事によりバランスが良くなる。コードを通すための枠を開ける。折りたたむための折り目に浅い切り込みを入れて折りたたむと５面となり先端部から真ん中に折り込むと１面となる。軽量でコンパクトになり持ち歩きできる。
【実施例】
【０００９】  以下、添付図面図１に従って一実施例を説明する。ポリプロピレン１の先端部２に折り目を付けて折りたたみ両面テープで接合する。折りたたむための折り目３を４箇所つけて５面ができ、左か右の先端部２から真ん中４に折りたたむと真ん中４の１面幅となる。電源コードを通す枠５を開ける。各面の幅に合わせる、高さ２ｃｍ幅の厚さ０．５ｍｍのポリプロピレン６とを１のポリプロピレンの下部の内側と外側に両面テープで接合するとバランスが良い飛沫防止カバーとなる。【００１０】  以下、添付図面図４に従って実施例を説明する。ポリプロピレン１の先端部２に折り目を付けて折りたたみ両面テープで接合する。折りたにむための折り目３を６箇所つけて７面ができ、左か右の先端部２から真ん中４に折りたたむと真ん中４の１面幅となる。電源コードを通す枠５を開ける。軽量でコンパクトな飛沫防止カバーとなる。【００１１】  本考案の一実施例は上述の如き構成からなるものであるから、軽量で折りたたむとコンパクトになる飛沫防止カバーは、自分たけの飛沫防止カバーなので、手さげ袋などに入れて何処へでも持ち歩く事ができる。また、シールを貼ったり絵を書いたりして楽しむ事ができる。
【符号の説明】
【００１２】１  シート（ポリプロピレン）
２  先端部
３  折り目
４  シートの真ん中
５  コードを通す枠
６  シート補強
【図１】
0003234651.tif 000003
【図２】
0003234651.tif 000004
【図３】
0003234651.tif 000005
【図４】
0003234651.tif 000006
【図５】
0003234651.tif 000007
【図６】
0003234651.tif 000008
【手続補正書】
【提出日】令和3年7月26日(2021.7.26)
【手続補正１】
【補正対象書類名】実用新案登録請求の範囲
【補正対象項目名】全文
【補正方法】変更
【補正の内容】
【実用新案登録請求の範囲】
【請求項１】
所定の面積と形状をもち、軽量で柔軟性があり透明または不透明のプラスチックのシートを用いて、前方となる先端部を折り曲げ接合して補強して、４箇所に折り目をつけると５つの面ができるか、又は、６箇所に折り目を付けると７つの面ができて折りたたむと１面となるように折り目のついたことを特徴とする飛沫防止カバー。
(57)【要約】      （修正有）【課題】予め鳴子本体に、トムソン型などで打ち抜く事で作成したバチ部分を加える事で組立の手間と輸送コストの高騰を解消することが出来、本体に携行用の紐を通す孔を施すことで携帯性を高めた、応援用プラスチック鳴子を提供する。【解決手段】フィルムシートを加工した応援用プラスチック鳴子１の内部に収納されたバチ部Ｂと辺ｂが接合部ｃの下部で繋がっていることにより、バチ部が内部で可動し、断続的に内部に当たることにより打音を発する仕組みである。【選択図】図１
0003234655.tif 000002
【実用新案登録請求の範囲】
【請求項１】
ポリプロピレンのフィルムシート材料をトムソン型で扇状が連なった形状に型抜きした物の左右のいずれか一端に接合加工ための余地が設けられ、およびその余地の下部で固定された鳴子のバチ部を備えた本物品を左右の扇が重なり合うように２つ折りにし接合することで、鳴子のバチ部が２つ折りにした本物品内部で可動し、本物品を任意の方向に振ることで打音が発生し応援用の鳴子として使用することが出来る、応援用プラスチック鳴子。
【請求項２】
ポリプロピレンのフィルムシート材料をトムソン型で型抜きし接合したとき、本物品の下部中央には本物品を紐を用いて首にかけ携帯するための孔が設けられていることを特徴とする請求項１に記載の応援用プラスチック鳴子。
【請求項３】
ポリプロピレンのフィルムシート材料に対し、オフセット印刷を用いて絵や文字、写真を印刷し、販促用途に使用できる事を特徴とする請求項１に記載の応援用プラスチック鳴子。
【考案の詳細な説明】
【技術分野】
【０００１】  本考案は主として、フイルムシート材料に対して多目的に使用できる利便性の高いノベルティー商品に関するものである。
【背景技術】
【０００２】  従来の鳴子は、木製やプラスチックの射出成型によって作成されており、製作コストがかかっていた。また大量生産時の輸送コストが嵩んでいた。
【考案が解決しようとする課題】
【０００３】  従来の鳴子は、鳴子部分とバチ部分は別々に作成したものを組み合わせて完成品としていた。本物品は一枚のプラスチックシートをトムソン型で打ち抜くことで鳴子部分とバチ部分を一体化することで製作工程を簡略化できる。
【０００４】  少なからずプラスチック製品は廃棄処理の段階で環境に負荷をかけてしまうという課題を持っているが、本考案である販促用うちわの材料シート素材を再生樹脂材料を使用して作成することで環境負荷の課題を解決することができる。
【課題を解決するための手段】
【０００５】  予め鳴子本体に、トムソン型などで打ち抜く事で作成したバチ部分を加える事で組立の手間と輸送コストの高騰を解消することが出来る、また、オフセット印刷を用いてパターン等を印刷することで、共通の材料で多岐にわたる製品のバリエーションを作成することも出来、ノベルティー効果を高めることが出来る。
【考案実施の形態】
【０００６】  図１は本考案の応援用プラスチック鳴子（１）の視図である。図１で応援用プラスチック鳴子（１）の下部に位置する孔（Ｋ１）（Ｋ２）はあらかじめトムソン型で打ち抜かれている。また本物品を辺１（ａ）で２つ折りにしたときに、辺２（ｂ）によって、バチ部（Ｂ）、辺３（ｄ）、接合部（ｃ）は応援用プラスチック鳴子（１）の内部に収納される。
【０００７】  図２は本考案の応援用プラスチック鳴子（１）を２つ折りにした場合の視図である。図１で応援用プラスチック鳴子（１）の内部に収納されたバチ部（Ｂ）辺３（ｄ）はウェルダー接合部（ｃ）の下部で繋がっている。このことにより、バチ部（Ｂ）が応援用プラスチック鳴子（１）の内部で可動し、辺３（ｄ）が辺１（ａ）、辺２（ｂ）に断続的に当たることにより打音を発する仕組みである。
【０００８】  図３は本考案の応援用プラスチック鳴子（１）を携帯した場合の視図である。図で応援用プラスチック鳴子（１）の下部に設けられた孔（Ｋ１）（Ｋ２）は接合部（ｃ）を接合加工した場合に対称に表れる。この時に紐（Ｈ）を孔（Ｋ１）（Ｋ２）に通すことで、応援用プラスチック鳴子（１）を首から下げて安定して使用できる。
【図面の簡単な説明】
【０００９】
【図１】本考案の応援用プラスチック鳴子（１）の視図
【図２】図１の応援用プラスチック鳴子（１）の組み立て図
【図３】図１の応援用プラスチック鳴子（１）の使用図
【符号の説明】
【００１０】１  応援用プラスチック鳴子
ａ  辺１
ｂ  辺２
ｃ  ウェルダー接合部
ｄ  辺３
Ｂバチ部
Ｋ１  孔１
Ｋ２  孔２
Ｈ    紐
【図１】
0003234655.tif 000003
【図２】
0003234655.tif 000004
【図３】
0003234655.tif 000005
(57)【要約】      （修正有）【課題】一人で簡単にできる、自動車のエンジンオイルの交換台を提供する。【解決手段】地上の車のオイルドレンまで人の入ることのできるスペースを取り、オイル交換できることでコストダウンを図ることに役立つ。【選択図】図４
0003234654.tif 000002
【実用新案登録請求の範囲】
【請求項１】
水平にタイヤを置く部分とタイヤを上昇させる斜面及び安定を保つ台座の部分から成ることを特徴としたエンジンオイル交換台
【考案の詳細な説明】
【技術分野】
【０００１】  本考案は、車のエンジンオイル交換に関するものである。
【背景技術】
【０００２】  簡単に自動車のエンジンオイルを交換する台は無かった。
【考案の開示】
【考案が解決しようとする課題】
【０００３】  エンジンオイルを交換できる地上とオイルドレンまでのスペースを取り前途の欠点を解決している。
【課題を解決するための手段】
【０００４】  本考案は、地上とオイルドレンまでの間隔を取り問題点を解決している。
【考案の効果】
【０００５】  エンジンオイル交換が簡単に一人でできる。
【考案を実施するための最良の形態】
【０００６】  自動車の前輪の片方を上昇させ交換スペースを取る。
【実施例】
【０００７】  以下、添付図面に従って実施例を説明する。１のタイヤ置き台と３の上昇スロープ、２の地上固定部分で４の様になり、５の様に実施する。【０００８】  本考案の実施例は、上途の如き構成からなるもので、一人で交換作業が簡単にできる。
【図面の簡単な説明】
【０００９】
【図１】平面図
【図２】側面図
【図３】正面図
【図４】実施例図
【符号の説明】
【００１０】  １  タイヤ置き台
２  地上との固定台
３  スロープ
４  形態の側面
５  実施方法
【図１】
0003234654.tif 000003
【図２】
0003234654.tif 000004
【図３】
0003234654.tif 000005
【図４】
0003234654.tif 000006
(57)【要約】      （修正有）【課題】本考案は、小物類（携帯電話、マスク、ティッシュ、除菌グッズ等）が混在しないように収納して、それらを使用したい時には、速やかに出し入れ出来るかぶせぶたポーチを提供する。【解決手段】かぶせぶたポーチは、様々な形態をした小物類（携帯電話、マスク、ティッシュ、除菌グッズ等）を、それぞれの形状に応じて収納出来る複数のポケットを設け、更にストラップ１を二箇所に設けて、好みの長さのベルトを接続すれば、手提げバッグ、ウエストポーチ、ショルダーバッグへと幅広く使用できる。【選択図】図１
0003234601.tif 000002
【実用新案登録請求の範囲】
【請求項１】
食事時、見えるところにマスクを置ける形状のポーチにする。
清潔な所で作業出来るよう小ポケットを、目的別に付け収納する。
（除菌ウェットティッシュ、アルコールスプレー、マスク等）
コロナが終息した後、コスメポーチ、小物収納ポーチ等、多目的ポーチとして使用出来るようにもデザインした。
又ストラップを付けた事により、３ＷＡＹで活用できる。
【請求項２】
本ポーチは、小ポケットを段差を付け取り付けた。
（目のご不自由な方、お年寄りの方）が分かりやすいよう、又家庭用ミシンでも作りやすい為でもある。
家庭でも作りやすい為、完成品だけでなく、キットを用意する〔（忙しい方の為、すでに裁断したキット）（他のキットも含）（キットの中には裁断後、区別付をしやすいよう小ジップロックを入れる）〕
［請求項１］にあるよう、多目的ポーチとして使用できるよう、高さ、幅、ポケットの数は用途に応じて、対応出来るようサイズを変える事も可能とする。
【考案の詳細な説明】
【考案の詳細な説明】
【技術分野】本考案は、多目的ポーチとする。
コロナが蔓延している時は、マスクが置ける形状ポーチ、除菌グッズ（除菌ティッシュ、アルコールスプレー等）が小分けにして全て収納でき、コロナが終息した時は、コスメポーチ、小物ポーチとして再利用できるデザインにした。
【背景技術】ポーチには、色々な形収納の工夫が見られるが、小分けにして各ポケットのパーツが収納する物が、遊びの無いように固定されて収納するポーチを見かけない。
【本考案が解決しようとする課題】
単なるマスクケースポーチだけでなく、マスクが置ける事、ポーチが自立出来る事、各パーツに目的別に収納出来る機能を持つポーチにする事
【課題を解決する為の手段】
【０００１】食事時、２つ折りにしたポーチに、留め具を付ける事によって、留め具にマスクを入れた巾着の紐を通し固定させ、更にクリップで止める事により、二重の安定になっている。
【０００２】本ポーチは、本体に小ポケットを設け、外面と内面を一つにする事により、収納目的をはっきりさせ、小ポケットを固定する事により、収納部品（ウェッ何をトティッシュ等）の遊び部分が無くなり、しっかりと収納出来る。
【０００３】本ポーチは、本体の外面と内面に小ポケットを付ける位置を段差を付けてずらす事により、目がご不自由な方、お年寄りの方等が何段目に何を入れたか分かり易い様にデザインした。
【０００４】手作りが大好きな方の為、家庭用のミシンでも、生地が重なる部品を少なくする事で、縫いやすいようにポケット付け位置に段差を付けた。
キットを作成しても良いと考えている。
【考案実施の形態】
【０００５】二つ折りにして、留め具で押さえた形状にデザインした事により、コンパクトにバッグに収納出来る。
小ポケットを１１個作った事により、多目的ポーチとして、安定して収納出来る。
【０００６】ポーチの両脇にストラップを付けたので、短い持ち手を付けてミニバッグとしてトートバッグの持ち手にかけ、ポーチから必要な物が出しやすくなる。
また長いショルダーを付けて斜めがけにも出来る。
散歩に出かける際は、これ一つで除菌グッズがどんな場面でも使用できる。
【０００７】両脇にストラップを付けた事で、帰宅した後、除菌スプレーをして、洗濯バサミにつけ干すことによって、翌日又は次回の外出に使用する際、いつでも清潔に使用できる。
【図面の簡単な説明】
【図１】小物入れの正面図
【図２】小物入れの裏面図
【図３】小物入れの展開図
【図４】図１のＡ−Ａ線における断面図（収納参考例）
【符号の説明】１  ストラップ
２  ベルト
３  留め具
４  多機能ポケット
１１  使用済みティッシュペーパー等（収納参考例）
１２  携帯電話又はハンカチ等（収納参考例）
１３  除菌ウェットティッシュ等（収納参考例）
１４  ポケットティッシュ等（収納参考例）
１５  マスク入れ用巾着等（収納参考例）
１６  巾着を留めるクリップ等（収納参考例）
１７  バンドエイド等（収納参考例）
１８  除菌スプレー等（収納参考例）
１９  ハンカチ又は携帯電話等（収納参考例）
２０  リップクリーム等（収納参考例）
２１  ハンドクリーム等（収納参考例）
２２  文房具等（収納参考例）
２３  予備マスク等（収納参考例）
【図１】
0003234601.tif 000003
【図２】
0003234601.tif 000004
【図３】
0003234601.tif 000005
【図４】
0003234601.tif 000006
【手続補正書】
【提出日】令和3年7月12日(2021.7.12)
【手続補正１】
【補正対象書類名】実用新案登録請求の範囲
【補正対象項目名】全文
【補正方法】変更
【補正の内容】
【実用新案登録請求の範囲】
【請求項１】
いろいろな小物を用途別に収納出来る様、
複数の小ポケットを設けた事を特徴とするかぶせぶたポーチ。
【請求項２】
いろいろな小物を出し入れし易くなる様、
複数の小ポケットの取り付けに段差を設けた事を特徴とするかぶせぶたポーチ。
(57)【要約】      （修正有）【課題】手ぬぐいに使用できるとともにエコバッグとしても使用できる手ぬぐいエコバッグを提供する。【解決手段】手ぬぐいエコバッグは、手ぬぐいを二つに折り畳み、両側面下部を縫い合わせて袋状にし、側面上部の左右端を折ることなく縫い合わせたもので、ハンカチの様にも使用でき、また、携帯エコバッグとして使用できる。【選択図】図１
0003234602.tif 000002
【実用新案登録請求の範囲】
【請求項１】
本物品は、１枚の手ぬぐいを切ることなく平面のまま縫い合わせるだけで作ったバッグである。手ぬぐい１枚を半分に折り、両側面を折り目より半分くらいまで縫い合わせることで袋状にする。両端上部は折りたたまず平面そのまま縫い合わせることによりまたは真ん中を外して左右二か所均等に縫い合わせる。出来上がりは平たいハンカチの状態で、開口部は側面と上部２か所にありエコバッグとして使用する場合物を出し入れできる。小さく折りたたむことができハンカチの様にも使用できる。
【考案の詳細な説明】
【技術分野】
【０００１】本考案は手ぬぐいを切ることなく縫い合わせエコバッグにも使用できる案である。
【背景技術】
【０００２】手ぬぐいは手拭き、襟巻、ほっかむりなど１枚の切りっぱなしの布のまま使用してきた。【０００３】従来の用途からプラスして新しい用途へ
【考案の効果】
【０００４】手ぬぐいを従来の様にハンカチやナプキンに使用するほかエコバッグとしても使用でき便利
【図面の簡単な説明】
【０００５】
【図１】手ぬぐいを半分に折り畳み点線の部分を縫い合わせる。
【図２】空き口部分から物を出し入れできる。
【図１】
0003234602.tif 000003
【図２】
0003234602.tif 000004
【手続補正書】
【提出日】令和3年6月30日(2021.6.30)
【手続補正１】
【補正対象書類名】実用新案登録請求の範囲
【補正対象項目名】全文
【補正方法】変更
【補正の内容】
【実用新案登録請求の範囲】
【請求項１】
一枚の手ぬぐいを半分に折り合わせ、両側面を折り目より上半分まで縫い合わせ袋状にし半分から上の縫い合わせてない部分は上部左右の端から数センチ均等に縫い合わせ真ん中の部分は縫い合わせずに上部と側部３か所に物を出し入れできる手ぬぐいエコバッグ。